(57)【要約】【課題】運転者の視線の移動量を小さくしつつ、運転者の背の高さ等に関係なく情報の視認が可能な車両用表示装置を提供する。【解決手段】車両のインパネ表面９４にレーザビームＬを照射して情報を表示するレーザ照射装置８０を備え、レーザ照射装置８０による情報の表示位置を調節可能に構成されている。このため、運転者の背の高さ等に応じて、情報の視認を可能としつつ視線の移動量を小さくすることのできる位置に情報の表示位置を調節することが可能となる。【選択図】図２
2008296620.tif 000002
【特許請求の範囲】
【請求項１】
車両のインパネ表面にレーザビームを照射して情報を表示する情報表示手段と、
前記情報表示手段による情報の表示位置を調節する位置調節手段を備えること
を特徴とする車両用表示装置。
【請求項２】
運転者の目の位置として高さ方向の位置を検出するアイポイント検出手段を備え、
前記位置調節手段は、前記アイポイント検出手段により検出された運転者の目の位置に応じて前記情報表示手段による情報の表示位置を調節すること
を特徴とする請求項１に記載の車両用表示装置。
【請求項３】
運転者の顔を撮影する撮影手段を備え、
前記アイポイント検出手段は、前記撮影手段により撮影された画像に基づき運転者の目の高さ方向における位置を検出すること
を特徴とする請求項２に記載の車両用表示装置。
【請求項４】
ルームミラーの上下方向の角度を検出する上下角度検出手段を備え、
前記アイポイント検出手段は、前記上下角度検出手段により検出されたルームミラーの上下方向の角度に基づき運転者の目の高さ方向における位置を検出すること
を特徴とする請求項２に記載の車両用表示装置。
【請求項５】
前記アイポイント検出手段は、運転者の目の位置として前後方向の位置も検出すること
を特徴とする請求項２から請求項４までのいずれか１項に記載の車両用表示装置。
【請求項６】
運転席の調節位置を検出する運転位置検出手段を備え、
前記アイポイント検出手段は、前記運転位置検出手段により検出された運転席の調節位置に基づき運転者の目の前後方向の位置を検出すること
を特徴とする請求項５に記載の車両用表示装置。
【請求項７】
ルームミラーの左右方向の角度を検出する左右角度検出手段を備え、
前記アイポイント検出手段は、前記左右角度検出手段により検出されたルームミラーの左右方向の角度に基づき運転者の目の前後方向の位置を検出すること
を特徴とする請求項５に記載の車両用表示装置。
【請求項８】
前記情報表示手段による情報の表示位置の変更操作が可能な操作手段を備え、
前記位置調節手段は、前記操作手段での変更操作に応じて前記情報表示手段による情報の表示位置を調節すること
を特徴とする請求項１に記載の車両用表示装置。
【請求項９】
レーザビームの照射を妨げる障害物を検出する障害物検出手段を備え、
前記位置調節手段は、前記障害物検出手段により検出された障害物によりレーザビームの照射が妨げられないように、前記情報表示手段による情報の表示位置を調節すること
を特徴とする請求項１から請求項８までのいずれか１項に記載の車両用表示装置。
【発明の詳細な説明】
【技術分野】
【０００１】
本発明は、車両のインパネ表面にレーザビームを照射して情報を表示する車両用表示装置に関するものである。
【背景技術】
【０００２】
従来、車両の運転者に対する情報の表示方法として、運転者の視線の移動量を小さくする方法が種々検討されている。例えば、特許文献１には、車両の前方の路面や車両のフロント部にレーザビームを照射することで情報を表示する構成が開示されている。
【特許文献１】特開平９−２１０７１６号公報
【発明の開示】
【発明が解決しようとする課題】
【０００３】
上記特許文献１に記載の構成では、レーザビームを車両の前方の路面や車両のフロント部に照射するようにしているが、運転者からの距離が遠く、また、フロントガラスを介して視認することとなるため反射等により視認しにくい場合がある。そこで、レーザビームをインパネ表面に照射する構成が考えられる。
【０００４】
ここで、運転者の視線の移動量を小さくするためには、インパネ表面におけるできるだけ前方位置（フロントガラス寄りの位置）に情報を表示することが望ましい。しかしながら、インパネ表面における前方位置は、背の低い運転者には視認が困難な場合がある。
【０００５】
本発明は、こうした問題にかんがみてなされたものであり、運転者の視線の移動量を小さくしつつ、運転者の背の高さ等に関係なく情報の視認が可能な車両用表示装置を提供することを目的としている。
【課題を解決するための手段】
【０００６】
請求項１に記載の車両用表示装置によれば、車両のインパネ表面にレーザビームを照射することで表示される情報の表示位置を、位置調節手段により調節することができる。このため、運転者の背の高さ等に応じて、情報の視認を可能としつつ視線の移動量を小さくすることのできる位置に情報の表示位置を調節することが可能となる。
【０００７】
具体的には、例えば請求項２に記載の車両用表示装置は、運転者の目の位置として高さ方向の位置を検出するアイポイント検出手段を備える。そして、位置調節手段は、アイポイント検出手段により検出された運転者の目の位置に応じて情報表示手段による情報の表示位置を調節する。このような構成の車両用表示装置によれば、情報の表示位置を自動的に調節することが可能となり、運転者に意識させることなく表示位置の調節を行うことができる。
【０００８】
ここで、運転者の目の高さ方向における位置は、例えば請求項３に記載のように、撮影手段により撮影された運転者の顔の撮影画像に基づき検出することが可能である。このように構成すれば、運転者の目の高さ方向における位置を比較的正確に検出することができる。
【０００９】
また、運転者の目の高さ方向における位置は、例えば請求項４に記載のように、上下角度検出手段により検出されたルームミラーの上下方向の角度に基づき検出することも可能である。このように構成すれば、運転者の目の高さ方向における位置を比較的簡単な構成で検出することができる。
【００１０】
ただし、運転者の目の高さが同じであっても、前後方向の位置によってインパネ表面の視認性は異なるものとなる。そこで、請求項５に記載の車両用表示装置では、アイポイント検出手段は、運転者の目の位置として前後方向の位置も検出する。このような構成の車両用表示装置によれば、情報の表示位置の調節をより適切に行うことができる。
【００１１】
ここで、運転者の目の前後方向の位置は、例えば請求項６に記載のように、運転位置検出手段により検出された運転席の調節位置に基づき検出することが可能である。このように構成すれば、運転者の目の前後方向の位置を比較的正確に検出することができる。
【００１２】
また、運転者の目の前後方向の位置は、例えば請求項７に記載のように、左右角度検出手段により検出されたルームミラーの左右方向の角度に基づき検出することも可能である。このように構成すれば、運転者の目の前後方向の位置を比較的簡単な構成で検出することができる。
【００１３】
一方、情報の表示位置を運転者の手動操作により調節するようにしてもよい。具体的には、例えば請求項８に記載の車両用表示装置は、情報表示手段による情報の表示位置の変更操作が可能な操作手段を備える。そして、位置調節手段は、操作手段での変更操作に応じて情報表示手段による情報の表示位置を調節する。このような構成の車両用表示装置によれば、情報の表示位置を運転者の好みに応じた位置に調節することができる。
【００１４】
ところで、レーザビームをインパネ表面に照射する場合に、照射を妨げる障害物が存在することが考えられる。ここで、位置が固定のものについては設計時に対応可能であるが、例えばハンドルのように運転者によって位置が調節されるものもある。
【００１５】
そこで、請求項９に記載の車両用表示装置は、レーザビームの照射を妨げる障害物を検出する障害物検出手段を備える。そして、位置調節手段は、障害物検出手段により検出された障害物によりレーザビームの照射が妨げられないように、情報表示手段による情報の表示位置を調節する。このような構成の車両用表示装置によれば、障害物によって情報の表示が妨げられないようにすることができる。
【発明を実施するための最良の形態】
【００１６】
以下、本発明が適用された実施形態について、図面を用いて説明する。
［１．全体構成］
図１は、実施形態の車両用表示装置としての車載システムの概略構成を表すブロック図である。また、図２は、この車載システムが搭載された車両室内の様子を表す模式図である。
【００１７】
この車載システムは、顔撮影カメラ１０、ミラー角度センサ２０、シート駆動機構３０、シートＥＣＵ３１、ハンドル駆動機構４０、チルト・テレスコピックＥＣＵ４１、ナビゲーションＥＣＵ５０、表示位置調節スイッチ６０、レーザビームＥＣＵ７０及びレーザ照射装置８０を備える。
【００１８】
顔撮影カメラ１０は、運転席９２に着座した状態の乗員（運転者）の顔面を撮影するためのものであり、ハンドル９０の軸部における上部位置に設けられている。
ミラー角度センサ２０は、ルームミラー９１の調節角度を検出する。具体的には、上下方向の調節角度と左右方向の調節角度をそれぞれ検出する。
【００１９】
シート駆動機構３０は、運転席９２の位置（前後方向の位置や背もたれの角度等）を電動で調節するための機構である。
シートＥＣＵ３１は、シート駆動機構３０から運転席９２の位置情報として前後方向の位置や背もたれの角度等に基づく調節位置を入力する。
【００２０】
ハンドル駆動機構４０は、ハンドル９０の位置（上下方向の角度及び軸方向の伸縮量）を電動で調節するための機構である。
チルト・テレスコピックＥＣＵ４１は、ハンドル駆動機構４０からハンドル９０の位置情報として上下方向の角度及び軸方向の伸縮量に基づく調節位置を入力する。
【００２１】
ナビゲーションＥＣＵ５０は、マイクロコンピュータを中心に構成された電子制御装置であり、地図上における車両の位置を特定し、経路案内等の処理を行うものである。また、本実施形態において、ナビゲーションＥＣＵ５０は、インパネ表面９４に情報を表示すべき状況となった時点で、その情報（表示用情報）を照射開始指令とともにレーザビームＥＣＵ７０へ送信する。その後、情報の表示が不要となった時点で照射完了指令をレーザビームＥＣＵ７０へ送信する。なお、表示用情報としては、例えば経路案内における右左折指示の情報等が挙げられる。具体的には、レーザビームＬの照射によりインパネ表面９４に投影した光の点を前方へ（運転者側からフロントガラス側へ）移動させ、左折の場合は左へ、右折の場合は右へ曲がるように更に移動させる。このような光の点の移動を繰り返すことにより、右左折指示の情報を表示する。
【００２２】
表示位置調節スイッチ６０は、後述する基準用レーザビームＬＢ（図８）を上方向に移動させる操作及び下方向に移動させる操作を行うためのものであり、ハンドル９０の下方位置に設けられている。
【００２３】
レーザビームＥＣＵ７０は、マイクロコンピュータを中心に構成された電子制御装置であり、後述する各種処理（図３、図７、図９）を実行する。
レーザ照射装置８０は、レーザビームＥＣＵ７０からの指示に従いインパネ表面９４にレーザビームＬを照射することで情報を表示するものであり、車両室内の天井部９３における中央位置付近に設けられている。なお、インパネ表面９４のうち図２に点線で示した部分はセンター部分を示している。
【００２４】
［２．レーザビームＥＣＵが実行する処理］
本実施形態の車載システムにおいて、レーザビームＥＣＵ７０は、レーザ照射装置８０による情報の表示位置を調節するための処理を行う。具体的には、表示位置の調節を自動で行うか手動で行うかをユーザが設定可能に構成されており、その設定内容に応じた処理を行う。
【００２５】
ここで、自動調節に設定されている状態で車両のエンジンが始動されることによりレーザビームＥＣＵ７０が実行する表示位置自動調節処理について、図３のフローチャートを用いて説明する。
【００２６】
レーザビームＥＣＵ７０は、表示位置自動調節処理を開始すると、まず、Ｓ１０１で、運転者のアイポイントを検出する。具体的には、図４に示すように、上下方向（高さ方向）及び奥行方向（前後方向）の二次元位置における運転者の目の位置（車両室内における位置）をアイポイントＩＰとして検出する。ここで、上下方向の位置については、顔撮影カメラ１０による撮影画像を解析することにより検出する。また、奥行方向の位置については、運転席９２の調節位置に基づき検出する。
【００２７】
続いて、Ｓ１０２では、Ｓ１０１で検出した運転者のアイポイントＩＰが、視点の高いグループ（上グループ）及び視点の低いグループ（下グループ）のうちいずれに含まれるかを判定する。具体的には、図５に示すように、あらかじめ設定されたポイントＡを通過し、かつ、９９％の人のアイポイントが存在する領域であるアイエリプスＩＥの面積を二等分する直線をしきい値としており、しきい値より高い位置を上グループ、しきい値より低い位置を下グループとしている。なお、本実施形態において、ポイントＡは、インパネ表面における水平に近い面と垂直に近い面との変曲点（角部）にあらかじめ設定されている（図４参照）。
【００２８】
続いて、Ｓ１０３では、チルト・テレスコピックＥＣＵ４１からハンドル９０の位置情報（上下方向の角度及び軸方向の伸縮量に基づく調節位置）を受信する。
続いて、Ｓ１０４では、Ｓ１０３で受信したハンドル９０の位置情報に基づき、レーザビームＬの照射を禁止する禁止エリアを計算する。具体的には、図６に示すように、インパネ表面９４の情報表示可能領域を表すレーザビーム照射座標データ上で、ハンドル９０によりレーザビームＬの照射が妨げられる領域（図６におけるドーナツ状の斜線領域）を算出し、その領域を禁止エリアとする。また、Ｓ１０２で運転者のアイポイントＩＰが下グループに含まれると判定した場合には、上部（フロントガラス側の端部）における一定領域（図６における長方形状の斜線領域）についても禁止エリアとする。その後、本表示位置自動調節処理を終了する。
【００２９】
次に、手動調節に設定されている状態で車両のエンジンが始動されることによりレーザビームＥＣＵ７０が実行する表示位置手動調節処理について、図７のフローチャートを用いて説明する。
【００３０】
レーザビームＥＣＵ７０は、表示位置手動調節処理を開始すると、まず、Ｓ２０１で、図８に示す基準用レーザビームＬＢをインパネ表面９４に照射する。ここで、基準用レーザビームＬＢとは、レーザビーム照射エリアＬＡの上下限を示すラインである。
【００３１】
続いて、Ｓ２０２では、表示位置調節スイッチ６０で行われる操作に従い基準用レーザビームＬＢを上下方向に移動させる。
続いて、Ｓ２０３では、表示位置調節スイッチ６０で操作が行われない時間が所定時間継続したか否かを判定する。
【００３２】
そして、Ｓ２０３で、表示位置調節スイッチ６０で操作が行われない時間が所定時間継続していないと判定した場合にはＳ２０２へ戻り、所定時間継続したと判定した場合にはＳ２０４へ移行する。つまり、運転者が表示位置調節スイッチ６０を操作した後に所定時間放置することで、表示位置の調節が完了したとみなされてＳ２０４へ移行されることになる。
【００３３】
Ｓ２０４では、チルト・テレスコピックＥＣＵ４１からハンドル９０の位置情報（上下方向の角度及び軸方向の伸縮量に基づく調節位置）を受信する。
続いて、Ｓ２０５では、Ｓ２０４で受信したハンドル９０の位置情報に基づき、レーザビームＬの照射を禁止する禁止エリアを計算する（前述したＳ１０４と同様）。また、基準用レーザビームＬＢにより設定された上下限を超える部分の領域についても禁止エリアとする。その後、本表示位置手動調節処理を終了する。
【００３４】
次に、ナビゲーションＥＣＵ５０から表示情報とともに照射開始指令を受信することによりレーザビームＥＣＵ７０が実行する情報表示処理について、図９のフローチャートを用いて説明する。
【００３５】
レーザビームＥＣＵ７０は、情報表示処理を開始すると、まず、Ｓ３０１で、レーザビーム照射座標データ上での禁止エリアを避けた位置にレーザビームＬを照射することで、表示用情報を表示する。つまり、情報の表示に必要な領域（情報表示領域）の初期値が禁止エリアと全く重なっていなければそのまま表示を行うが、情報表示領域が一部でも禁止エリアと重なっている場合には、禁止エリアと全く重ならない位置に情報表示領域をシフトさせる。
【００３６】
続いて、Ｓ３０２では、ナビゲーションＥＣＵ５０から照射完了指令を受信したか否かを判定する。
そして、Ｓ３０２で、照射完了指令を受信していないと判定した場合にはＳ３０１へ戻る。
【００３７】
一方、照射完了指令を受信したと判定した場合にはＳ３０３へ移行し、レーザビームＬの照射を終了して本情報表示処理を終了する。つまり、照射開始指令を受信してから照射完了指令を受信するまでの間、表示用情報の表示処理を継続する。
【００３８】
［３．実施形態の効果］
以上説明したように、本実施形態の車載システムによれば、次の効果が得られる。
・インパネ表面９４における情報の表示位置を調節することができるため、運転者の背の高さ等に応じて、情報の視認を可能としつつ視線の移動量を小さくすることのできる位置に情報の表示位置を調節することが可能となる。
【００３９】
・運転者のアイポイントを検出し、検出したアイポイントに基づきインパネ表面９４における情報の表示位置を自動的に調節することで、運転者に意識させることなく表示位置の調節を行うことができる。
【００４０】
・アイポイントの上下方向における位置を顔撮影カメラ１０の撮影画像に基づき検出し、アイポイントの奥行方向における位置を運転席９２の調節位置に基づき検出するようにしているため、アイポイントを比較的正確に検出することができる。
【００４１】
・インパネ表面９４における情報の表示位置を運転者の手動操作により調節することができるため、運転者の好みに応じた位置への調節が可能となる。
・ハンドル９０によりレーザビームＬの照射が妨げられないようにインパネ表面９４における情報の表示位置を調節するようにしているため、ハンドル９０によって情報の表示が妨げられないようにすることができる。
【００４２】
［４．特許請求の範囲との対応］
なお、本実施形態の車載システムでは、情報表示処理（図９）を実行するレーザビームＥＣＵ７０と、レーザ照射装置８０が、情報表示手段に相当する。
【００４３】
また、表示位置自動調節処理（図３）におけるＳ１０２〜Ｓ１０４の処理及び表示位置手動調節処理（図７）を実行するレーザビームＥＣＵ７０が、位置調節手段に相当する。
また、Ｓ１０１の処理を実行するレーザビームＥＣＵ７０がアイポイント検出手段に相当し、顔撮影カメラ１０が撮影手段に相当し、シートＥＣＵ３１が運転位置検出手段に相当する。
【００４４】
また、表示位置調節スイッチ６０が操作手段に相当し、チルト・テレスコピックＥＣＵ４１が障害物検出手段に相当する。
［５．他の形態］
以上、本発明の一実施形態について説明したが、本発明は、種々の形態を採り得ることは言うまでもない。
【００４５】
（１）上記実施形態では、表示位置自動調節処理（図３）のＳ１０１で、運転者の目の上下方向の位置を顔撮影カメラ１０による撮影画像に基づき、奥行方向の位置を運転席９２の調節位置に基づき検出するようにしているが、これに限定されるものではない。例えば、運転者の目の上下方向及び奥行方向の位置をルームミラー９１の調節角度に基づき検出するようにしてもよい。具体的には、ルームミラー９１の上下方向の調節角度に基づき運転者の目の上下方向の位置を検出し、ルームミラー９１の左右方向の調節角度に基づき運転者の目の奥行方向の位置を検出することが可能となる。このように構成すれば、運転者のアイポイントＩＰを比較的簡単な構成で検出することができる。なお、この構成では、ミラー角度センサ２０が上下角度検出手段及び左右角度検出手段に相当する。
【００４６】
（２）上記実施形態では、インパネ表面９４で光の点を移動させることにより情報を表示する構成を例示したが、これに限定されるものではなく、例えば、レーザビームＬの高速走査により矢印等の画像を表示する構成とすることも可能である。なお、表示する情報は経路案内の情報に限定されるものではなく、種々の情報を表示することが可能である。
【００４７】
（３）上記実施形態では、車両室内の天井部９３にレーザ照射装置８０を配置した構成を例示したが、これに限定されるものではなく、例えばルームミラー９１に配置するようにしてもよい。
【００４８】
（４）上記実施形態では、レーザ照射装置８０による情報の表示位置の調節をエンジン始動時にのみ行う構成を例示したが、これに限定されるものではなく、例えば所定時間ごとに行うようにしてもよい。このようにすれば、疲労等に伴う運転姿勢の変化にも対応することができる。
【００４９】
（５）上記実施形態では、レーザ照射装置８０による情報の表示位置の調節を自動で行うか手動で行うかをユーザが設定可能な構成を例示したが、これに限定されるものではなく、例えば、自動調節専用の構成や手動調節専用の構成とすることも可能である。
【００５０】
（６）上記実施形態では、運転者のアイポイントＩＰが上グループ及び下グループの２つのグループのうちいずれに含まれるかを判定する構成を例示したが、これに限定されるものではなく、例えば、より細かくグループ分けして判定するようにしてもよい。
【００５１】
（７）上記実施形態では、上下方向及び奥行方向の二次元位置における運転者の目の位置をアイポイントＩＰとして検出する構成を例示したが、これに限定されるものではなく、例えば、上下方向の位置のみに基づき表示位置の調節を行うことも可能である。また、左右方向の位置についても検出するようにしてもよい。
【図面の簡単な説明】
【００５２】
【図１】実施形態の車載システムの概略構成を表すブロック図である。
【図２】実施形態の車載システムが搭載された車両室内の様子を表す模式図である。
【図３】表示位置自動調節処理のフローチャートである。
【図４】運転者のアイポイントを検出する処理を説明する説明図である。
【図５】運転者のアイポイントが上グループ及び下グループのうちいずれに含まれるかを判定する処理を説明する説明図である。
【図６】レーザビームの照射を禁止する禁止エリアを計算する処理を説明する説明図である。
【図７】表示位置手動調節処理のフローチャートである。
【図８】基準用レーザビームをインパネ表面に照射した状態を表す斜視図である。
【図９】情報表示処理のフローチャートである。
【符号の説明】
【００５３】
１０…顔撮影カメラ、２０…ミラー角度センサ、３０…シート駆動機構、３１…シートＥＣＵ、４０…ハンドル駆動機構、４１…チルト・テレスコピックＥＣＵ、５０…ナビゲーションＥＣＵ、６０…表示位置調節スイッチ、７０…レーザビームＥＣＵ、８０…レーザ照射装置、９０…ハンドル、９１…ルームミラー、９２…運転席、９３…天井部、９４…インパネ表面、ＩＰ…アイポイント、Ｌ…レーザビーム、ＬＡ…レーザビーム照射エリア、ＬＢ…基準用レーザビーム
【図１】
2008296620.tif 000003
【図３】
2008296620.tif 000004
【図５】
2008296620.tif 000005
【図６】
2008296620.tif 000006
【図７】
2008296620.tif 000007
【図８】
2008296620.tif 000008
【図９】
2008296620.tif 000009
【図２】
2008296620.tif 000010
【図４】
2008296620.tif 000011